(57)【特許請求の範囲】
【請求項１】
第１のマンホール（１０）に水中ポンプ（４０）を設け、この第１のマンホール（１０）より下流側の第２のマンホール（１３）と第３のマンホール（１５）との間の下水管（１４）を作業区間とし、
前記第１のマンホール（１０）と第２のマンホール（１３）間の下水管の流出側に上流側止水用栓（１７）を設け、前記第３のマンホール（１５）に開口した下水管の流入側に下流側止水用栓（１８）を設け、
地上に設置した吸引排水装置（２０）の吸引管（２６）を前記上流側止水用栓（１７）より上流側に突出させて、前記吸引排水装置（２０）の排水管（２７）を前記下流側止水用栓（１８）より下流側に突出させ、
前記水中ポンプ（４０）の吐出管（４１）を前記下流側止水用栓（１８）より下流側に配設したことを特徴とする下水管作業用循環排水装置。
【請求項２】
前記第１のマンホール（１０）と第２のマンホール（１３）間の下水管の流入側にネット（４２）を設けた請求項１記載の下水管作業用循環排水装置。
【発明の詳細な説明】
【０００１】
【発明の属する技術分野】
本発明は、地中に埋設された下水管を清掃、検査、補修、交換等の作業をする際に、その作業区間に汚水等が流れないようにする下水管作業用循環排水装置に関する。
【０００２】
【従来の技術】
地中に埋設された下水管の内部には長年の使用により、土砂、汚泥及び異物が堆積するので、その堆積した土砂、汚泥及び異物を除去清掃する必要がある。
【０００３】
また、地中に埋設された下水管は経時変化等によりクラックや継手部不良等が発生する。特に下水管がヒューム管の場合には腐食して穴があいたりする。
このために、下水管の内部を検査したり、定期的に補修あるいは交換する必要がある。
【０００４】
前述のように、下水管を清掃、点検、補修、交換等の作業をするには、その作業区間の下水管内に機器を挿入したり、作業者が入り込んで作業をするので、その作業期間中に下水の使用を中止しなければならない。
【０００５】
このことを解消するために、例えば実公平６−１３８９０号公報に開示された下水管作業用循環排水装置が提案されている。
【０００６】
この下水管作業用循環排水装置は図５に示すように、下水管１の第１のマンホール２と第２のマンホール３との間の部分１ａを作業区間とし、その作業区間の下水管１ａの上流側の部分１ｂと下流側の部分１ｃに止水用栓４を設けて作業区間の下水管１ａに汚水等が流れないようにする。
【０００７】
そして、地上に設置したポンプ５の吸込管６を上流側の部分１ｂに位置させ、そのポンプ５の吐出管７を下流側の部分１ｃに位置させることで、作業区間よりも上流側の汚水等を下流側にバイパスして流すようにしてある。
【０００８】
かかる下水管作業用循環排水装置によれば下水を使用しても作業区間の下水管に汚水等が流れないので、下水を使用しながらその作業区間の下水管を清掃、点検、補修、交換等の作業をすることができる。
【０００９】
【発明が解決しようとする課題】
かかる下水管作業用循環排水装置は、地上に設置したポンプ５によって下水管内の汚水等を吸引するので、そのポンプ５の揚高Ｈが大きいために下水管内の汚水を十分に吸引できない。
特に、下水管の本管などは埋設深さが深いので、前述のポンプ５の揚高が著しく大きくなり、下水管内の汚水等を吸引できないことがある。
【００１０】
また、汚水等内の異物がポンプ５内に入り込まないように地上にスクリーン８を設け、このスクリーン８は目詰りするので定期的に清掃、又は交換するが、地上においてスクリーン８を清掃又は交換する際に汚水等が流れ出し臭気が周囲に洩れて環境上好ましくない。
【００１１】
そこで、本発明は前述の課題を解決できる様にした下水管作業用循環排水装置を提供することを目的とする。
【００１２】
【課題を解決するための手段及び作用効果】
第１の発明は、第１のマンホール１０に水中ポンプ４０を設け、この第１のマンホール１０より下流側の第２のマンホール１３と第３のマンホール１５との間の下水管１４を作業区間とし、前記第１のマンホール１０と第２のマンホール１３間の下水管の流出側に上流側止水用栓１７を設け、前記第３のマンホール１５に開口した下水管の流入側に下流側止水用栓１８を設け、地上に設置した吸引排水装置２０の吸引管２６を前記上流側止水用栓１７より上流側に突出させ、前記吸引排水装置２０の排水管２７を前記下流側止水用栓１８より下流側に突出させ、前記水中ポンプ４０の吐出管４１を前記下流側止水用栓１８より下流側に配設した下水管作業用循環排水装置である。
【００１３】
第１の発明によれば、作業区間の下水管の上流側の汚水等を水中ポンプ４０で下流側に排水するので、作業区間の下水管に汚水等が流れることがないし、下水管の埋設深さが深くても水中ポンプは吐出能力があり、かつ大きな異物を破砕する能力があるので詰ることがなく汚水等を確実に排水できる。
また、水中ポンプ４０の吐出管４１が下流側止水用栓１８より下流側まで配設してあるので、汚水等が地上にこぼれることがなく、地上に臭気が洩れないから環境上好ましい。
また、第１のマンホール１０と第２のマンホール１３との間の下水管に家の汚水が流れ込んでも、その汚水等を吸引排水装置２０で排水できる。
また、第２のマンホール１３と第３のマンホール１５との間の下水管を作業する時に作業者が第２、第３のマンホール１３，１５に出入できるから容易に作業でき、しかも上流側止水用栓１７、下流側止水用栓１８を第２、第３のマンホール１３，１５より設置でき、その作業が容易となる。
【００１４】
第２の発明は、第１の発明における第１のマンホール１０と第２のマンホール１３間の下水管の流入側にネット４２を設けた下水管作業用循環排水装置である。
【００１５】
第２の発明によれば、第１のマンホール１０内に流れ込んだ大きな異物がネット４２で捕集され、その大きな異物が第１のマンホール１０と第２のマンホール１３との間の下水管の流入側に入り込むことがなく、吸引排水装置２０が詰ることがない。
【００１６】
【発明の実施の形態】
図１に示すように、第１のマンホール１０に第１の下水管１１と第２の下水管１２が開口し、第２の下水管１２は第２のマンホール１３に開口し、その第２のマンホール１３に第３の下水管１４が開口し、この第３の下水管１４は第３のマンホール１５に開口し、その第３のマンホール１５に第４の下水管１６が開口しており、各下水管は各マンホールを介して連続して地中に埋設してある。汚水等は第１の下水管１１から第４の下水管１６に向けて流れる。
【００１７】
前記第３の下水管１４が作業区間となり、この第３の下水管１４の上流側、つまり第２の下水管１２における第２のマンホール１３に開口した流出側に上流側止水用栓１７が設けられ、第３の下水管１４の下流側、つまり第４の下水管１６の第３のマンホール１５に開口した流入側に流出側止水用栓１８が設けてある。これにより作業区間である第３の下水管１４には上流側の下水管より汚水等が流れ込まない。
【００１８】
なお、第３の下水管１４の流入側と流出側を止水用栓を設けずに第２の下水管１２の流出側と第４の下水管１６の流入側に止水用栓を設けたのは、第３の下水管１４を作業する際に作業者が第２、第３のマホール１３，１５より出入りするためである。
【００１９】
地上には吸引排水装置２０と制御式のコンプレッサ２１とコントローラ２２等で構成した制御システムが設置してある。
前記吸引排水装置２０は図２に示すようにタンク２３と真空吸引ポンプ２４と圧送ポンプ２５を備え、真空吸引ポンプ２４でタンク２３内のエアを吸引して吸引管２６により汚水等をタンク２３内に吸引し、そのタンク２３内の汚水等を圧送ポンプ２５で排出管２７に圧送するようにしてある。
【００２０】
前記コントローラ２２は制御式のコンプレッサ２１、真空吸引ポンプ２４、圧送ポンプ２５等をコントロールする。
【００２１】
前記上流側止水用栓１７及び下流側止水用栓１８は図３に示すように、ゴム等の可撓材により中空部３０を有するリング状の本体３１と、その本体３１の中心貫通孔３２に挿通したパイプ３３と、そのパイプ３３の長手方向両端部に螺合して本体３１に接した一対の押えプレート３４と、一方の押えプレート３４に取付けられたノズル３５より成り、そのノズル３５が前記コンプレッサ２１に接続してある。
【００２２】
このようであるから、コンプレッサ２１を駆動してノズル３５より本体３１の中空部３０にエアーを供給する本体３１が拡張変形して下水管の内面に圧着して止水性能が優れたものとなる。
そして、上流側止水用栓１７のパイプ３３に吸引管２６が接続し、下流側止水用栓１８のパイプ３３に排出管２７が接続してある。
【００２３】
第１のマンホール１０には水中ポンプ、例えば水中グラインダーポンプ４０が設けられ、その吐出管４１は排出管２７に接続されている。また、第２の下水管１２の第１のマンホール１０に開口した流入側にはネット４２が設けてある。
【００２４】
このようであるから、第１のマンホール１０内に流入して溜った汚水等は水中グラインダーポンプ４０で吸引され、吐出４１より排出管２７を経て下流側止水用栓１８より下流側に排水される。
なお、水中グラインダーポンプ４０の吐出管４１は下流側止水用栓１８より下流側の下水管に直接配設しても良い。例えば、第３のマンホール１５より下流のマンホールに吐出管４１を突出させ、そのマンホールから下水管に排水する。
【００２５】
前記水中グラインダーポンプ４０は吐出能力に優れているので深いマンホールで揚高が大きくとも十分に地上まで汚水等を圧送できるし、この水中グラインダーポンプ４０は木片等の大きな異物を破砕する能力を有するから詰ることもない。
【００２６】
前記上流側止水用栓１７の上流側近くにはレベルセンサ４３が設けられ、第２の下水管１２内の水位が所定高さとなると信号を出力する。この信号はコントローラ２２に送られて真空吸引ポンプ２４と圧送ポンプ２５を駆動し、第２の下水管１２内の汚水等をパイプ３３、吸引管２６でタンク２３に吸引し、圧送ポンプ２５によって排出管２７、パイプ３３を経て下流側止水用栓１８より下流側に排水する。
【００２７】
つまり、第１のマンホール１０内の汚水等を水中グラインダーポンプ４０で排水しても第２の下水管１２には排水管４４を経て各家の排水用マスから汚水等が流れ込むので、その第２の下水管１２内にある程度の汚水等が溜ったら吸引排水装置２０を駆動して排水するようにしてある。
【００２８】
このように、吸引排水装置２０は予備的なものであるから、吸込能力が劣っても何ら問題がない。
なお、第２の下水管１２の流入側にはネット４２が設けてあるから、第１のマンホール内に流れ込んだ大きな異物が第２の下水管１２に入り込むことがないので、吸引排水装置２０が詰ることはない。
【００２９】
つまり、大きな異物は家の排水用マスから流れ込むことは少なく、多くは雨水マス等より下水管に流れ込むので、第２の下水管１２内に大きな異物が入り込むことはない。
【００３０】
また図４において、第４の下水管１６の第３のマンホール１５に開口した流入側に下水を排出するための中空部に挿通したパイプのない止水栓６１を設け、作業区間である第３の下水管１４に下流側の下水管より汚水等が逆流して流れ込まないようにすると共に止水用栓６１より下流の第４のマンホール６２に排水管２７を設けてある。
【００３１】
このようにすれば止水用栓６１の構造が簡単になり製作が容易となる。
なお、図示しないが同様に上流側の吸水口においても上流の下水を吸引するためのパイプより下流に下水を吸引するための中空部に挿通したパイプのない止水栓を設けてもよい。
【図面の簡単な説明】
【図１】本発明の実施例の縦断面図である。
【図２】吸引排水装置の説明図である。
【図３】上流側止水用栓、下流側止水用栓の断面図である。
【図４】本発明の第２の実施例の縦断面図である。
【図５】従来例の縦断面図である。
【符号の説明】
１０…第１のマンホール
１１…第１の下水管
１２…第２の下水管
１３…第２のマンホール
１４…第３の下水管
１５…第３のマンホール
１６…第４の下水管
１７…上流側止水用栓
１８…下流側止水用栓
２０…吸引排水装置
２２…コントローラ
２３…タンク
２４…真空吸引ポンプ
２５…圧送ポンプ
２６…吸引管
２７…排出管
３１…本体
３３…パイプ
３５…ノズル
４０…水中グラインダーポンプ
４１…吐出管
４２…スクリーン
４３…レベルセンサ
４４…排水管
６１…止水栓
６２…第４のマンホール
【図１】
0003620670.tif 000002
【図２】
0003620670.tif 000003
【図３】
0003620670.tif 000004
【図４】
0003620670.tif 000005
【図５】
0003620670.tif 000006